【手続補正書】
【提出日】平成15年4月22日(2003.4.22)
【手続補正１】
【補正対象書類名】明細書
【補正対象項目名】特許請求の範囲
【補正方法】変更
【補正の内容】
【特許請求の範囲】
【請求項１】
複数の基地局を有するテレコミュニケーションシステムにおける移動局の基地局へのハンドオーバーのための方法であって、前記移動局は少なくとも一の現在の基地局と通信し、前記方法は、
前記一の移動局において、少なくとも一以上の基地局からのダウンリンクチャネル特性を測定する工程と、
ダウンリンク測定データをネットワークへレポートする工程であって、前記ネットワークは、前記ダウンリンク測定データに基づいて、一以上の基地局が前記移動局からのアップリンク送信の一以上の特性を測定すべきかどうかを決定することを特徴とする工程と
を備えることを特徴とする方法。
【請求項２】
前記ネットワークが前記移動局から前記一以上の隣接基地局への無線アップリンク送信の一以上の特性を測定すると決定した場合に前記ネットワークにおいて前記測定を行う工程を備えることを特徴とする請求項１に記載の方法。
【請求項３】
前記測定されたダウンリンク特性及びアップリンク特性に基づいて、前記一以上の基地局のフリーチャネルを評価し、前記フリーチャネルのどれが前記移動局に適するかを決定する工程を備えることを特徴とする請求項２に記載の方法。
【請求項４】
前記ネットワークから前記移動局へ、前記測定されたアップリンク特性及びダウンリンク特性に基づいて、前記移動局のハンドオーバーイベント仕様及びパワーレベルをレポートする工程を更に備えることを特徴とする請求項３に記載の方法。
【請求項５】
前記ハンドオーバーイベント仕様及びパワーレベルに従って、前記移動局をハンドオーバーさせる工程を更に備えることを特徴とする請求項４に記載の方法。
【請求項６】
前記ハンドオーバーが、ソフトハンドオーバーであることを特徴とする請求項１乃至５のいずれかに記載の方法。
【請求項７】
前記ハンドオーバーが、ハードハンドオーバーであることを特徴とする請求項１乃至５のいずれかに記載の方法。
【請求項８】
前記ハンドオーバーが、オペレータ間ハンドオーバーであることを特徴とする請求項１乃至５のいずれかに記載の方法。
【請求項９】
前記移動局が、前記ハンドオーバーの後も前記現在の基地局との通信を維持することを特徴とする請求項５に記載の方法。
【請求項１０】
所定の前記ダウンリンク測定データが、測定データと前記一の移動局及び基地局との間のダウンリンク信号参照レベルに関連する閾値との関係に基づいて、前記ネットワークへレポートされることを特徴とする請求項１乃至５のいずれかに記載の方法。
【請求項１１】
前記ダウンリンク測定データ及びアップリンク測定データの少なくとも一つが、
信号強度、
信号対雑音比、
パスロス、
時間差分、及び
往復遅延
のうちの少なくともいずれかの品質であることを特徴とする請求項１乃至５及び１０のいずれかに記載の方法。
【請求項１２】
複数の基地局を含むテレコミュニケーションシステムにおけるノードであって、
移動局の無線ダウンリンク信号状態に関連する情報信号を受信するための送受信回路と、
前記移動局の前記ダウンリンク信号状態に基づいて、一以上の基地局が移動局からの１以上のアップリンク送信特性を測定すべきかどうかを決定するための電子データの処理及び制御のための回路と
を備えることを特徴とするノード。
【請求項１３】
前記送受信回路は、前記電子データの処理及び制御のための回路からの前記情報信号が、一以上の基地局へ一以上のアップリンク送信特性の測定の条件付きでの命令を指示する場合に、前記条件付きの命令のために前記電子データの処理及び制御のための回路から情報信号を受信することを特徴とする請求項１２に記載のノード。
【請求項１４】
前記送受信回路は、前記一以上の基地局から、前記アップリンク送信特性に対応する無線アップリンク信号状態に関連する情報信号を受信することを特徴とする請求項１３に記載のノード。
【請求項１５】
前記電子データの処理及び制御のための回路は、前記測定されたダウンリンク特性及びアップリンク特性に基づいてフリーチャネルが移動局に適するかどうかを決定するために、前記一以上の基地局の前記フリーチャネルを評価することを特徴とする請求項１４に記載のノード。
【請求項１６】
前記電子データの処理及び制御のための回路は、前記ダウンリンク信号状態及びアップリンク信号状態に基づいて、移動局に適切な通信チャネル及びパワーレベルを含むハンドオーバーイベント仕様を決定することを特徴とする請求項１５に記載のノード。
【請求項１７】
前記送受信回路は、前記移動局のハンドオーバーを前記ハンドオーバーイベント仕様に従って促進するために、前記ハンドオーバーイベント仕様を前記移動局と通信することを更に特徴とする請求項１６に記載のノード。
【請求項１８】
前記ハンドオーバーが、ソフトハンドオーバーであることを特徴とする請求項１２乃至１７のいずれかに記載のノード。
【請求項１９】
前記ハンドオーバーが、ハードハンドオーバーであることを特徴とする請求項１２乃至１７のいずれかに記載のノード。
【請求項２０】
前記ハンドオーバーが、オペレータ間ハンドオーバーであることを特徴とする請求項１２乃至１７のいずれかに記載のノード。
【請求項２１】
前記送受信回路は、前記移動局と前記移動局が接続されている前記現在の基地局との間における通信が前記ハンドオーバーの後も維持されることを要求する信号を送信することを特徴とする請求項１７に記載のノード。
【請求項２２】
前記ダウンリンク信号状態が、ダウンリンク測定データと閾値との間の関係であることを特徴とする請求項１２乃至１７のいずれかに記載のノード。
【請求項２３】
前記ダウンリンク特性及びアップリンク特性の少なくとも一つが、
信号強度、
信号対雑音比、
パスロス、
時間差分、及び
往復遅延
のうちの少なくともいずれかであることを特徴とする請求項１２乃至１７及び２２のいずれかに記載のノード。
【請求項２４】
アップリンクチャネル上での送信を受信するための受信回路を備える複数の基地局と、接続される複数の基地局のうちの一つである現在の基地局に接続され隣接する一以上の基地局のダウンリンクチャネルのそれぞれを監視している移動局と、を有するテレコミュニケーションシステムであって、
現在の基地局及び隣接する基地局と通信するための送受信回路を備えるネットワークノードを含み、
前記移動局は、監視されている１以上の基地局のダウンリンクチャネル特性に関する一以上のダウンリンク信号状態をレポートするための送受信回路を備え、
前記ネットワークノードは、前記移動局の前記ダウンリンク信号状態に基づいて、一以上の基地局が移動局からのアップリンク送信の一以上の特性を測定するべきかどうかを決定するための、処理及び制御のための回路を備える
ことを特徴とするテレコミュニケーションシステム。
【請求項２５】
前記ダウンリンク信号状態に基づいて、前記監視されている一以上の基地局において実行されるべき一以上のアップリンク送信特性の測定を開始するための処理及び制御のための回路を備えるネットワークノードを含むことを特徴とする請求項２４に記載のテレコミュニケーションシステム。
【請求項２６】
測定されたダウンリンク特性及びアップリンク特性、又は、対応するダウンリンク信号状態及びアップリンク信号状態に基づいて、前記移動局に適した一以上の基地局のフリーチャネルがどれかを決定するために、前記フリーチャネルを評価するための処理及び制御のための回路を備えるネットワークノードを含むことを特徴とする請求項２５に記載のテレコミュニケーションシステム。
【請求項２７】
レポートされたダウンリンク信号状態及びアップリンク信号状態に基づいてハンドオーバーを調整するために処理及び制御のための回路において決定されるハンドオーバーイベント仕様及び送信パワーレベルをレポートするための送受信回路を備えるネットワークノードを含むことを特徴とする請求項２６に記載のテレコミュニケーションシステム。
【請求項２８】
前記ハンドオーバーが、ソフトハンドオーバーであることを特徴とする請求項２４乃至２７のいずれかに記載のテレコミュニケーションシステム。
【請求項２９】
前記ハンドオーバーが、ハードハンドオーバーであることを特徴とする請求項２４乃至２７のいずれかに記載のテレコミュニケーションシステム。
【請求項３０】
前記ハンドオーバーが、オペレータ間ハンドオーバーであることを特徴とする請求項２４乃至２７のいずれかに記載のテレコミュニケーションシステム。
【請求項３１】
前記ネットワークノードの送受信回路が、前記移動局と前記現在の基地局との間における通信が前記ハンドオーバーの後も維持されることを要求する信号を送信することを特徴とする請求項２７に記載のテレコミュニケーションシステム。
【請求項３２】
前記ダウンリンク信号状態が、ダウンリンク測定データ及び閾値の間の関係であることを特徴とする請求項２４乃至２７のいずれかに記載のテレコミュニケーションシステム。
【請求項３３】
前記ダウンリンク特性及びアップリンク特性の少なくとも一つが、
信号強度、
信号対雑音比、
パスロス、
時間差分、及び
往復遅延
のうちの少なくともいずれかをいうことをことを特徴とする請求項２４乃至２７及び３２のいずれかに記載のテレコミュニケーションシステム。